【手続補正書】
【提出日】平成24年8月22日(2012.8.22)
【手続補正１】
【補正対象書類名】明細書
【補正対象項目名】０００３
【補正方法】変更
【補正の内容】
【０００３】
かかるプリント装置では、シート状のプリント媒体（例えば、ロール状あるいは箱に収
納された布帛）を複数のローラによって皺伸ばしし、搬送方向中央へのセンタリングや布
目矯正，両端（布帛の両耳）のカール是正が行なわれる。
【手続補正２】
【補正対象書類名】明細書
【補正対象項目名】０００４
【補正方法】変更
【補正の内容】
【０００４】
この場合、複数のローラによって布帛に張力が掛り、布帛の両耳のカールも是正するも
のであるが、張力の方向は、構造の上から、布帛の長手方向が大きく、布帛の長手方向に
対して直角方向の両側辺部のカールに対する張力は小さめとなっている。
【手続補正３】
【補正対象書類名】明細書
【補正対象項目名】００１２
【補正方法】変更
【補正の内容】
【００１２】
さらに、カール矯正バーによってフィルムの塗布対象エリアの両側辺部を吸着テーブル
の両即辺部側へ押し広げる力を調節するための、カール矯正バーの昇降動作を駆動する昇
降シリンダの空気圧力を調整する手段を備えたことを特徴とする。
【手続補正４】
【補正対象書類名】明細書
【補正対象項目名】００１３
【補正方法】変更
【補正の内容】
【００１３】
上記目的を達成するために、本発明は、上流側のガイドロールでロール状に巻き付けら
れているフィルムを巻き出して搬送し、巻き出されたフィルムの塗布対象エリアが吸着テ
ーブルの吸着面に搭載されて、塗布ヘッドによって、フィルムの塗布対象エリアに液状の
塗布材が塗布され、塗布材が塗布されたフィルムが下流側のガイドロールで搬送されてロ
ール状に巻き取られるインクジェット塗布方法であって、吸着テーブルの吸着面に搭載さ
れたフィルムの塗布対象エリアの両側辺をカール矯正バーで吸着面に押し付けて吸着テー
ブルの側辺側に拡げて、吸着面に吸着保持させることを特徴とする。
【手続補正５】
【補正対象書類名】明細書
【補正対象項目名】００１７
【補正方法】変更
【補正の内容】
【００１７】
なお、以下に説明する実施形態は、一例として、非シリコン系の半導体材料（例えば、
ＣＩＧＳ薄膜）が施された太陽電池フィルム上に、インクジェット方式の塗布ヘッドで電
極材や絶縁材を塗布することにより、電極や絶縁膜などの膜形成を行なうようにするもの
である。なお、ＣＩＧＳ薄膜は、Ｃｕ（銅），Ｉｎ（インジウム），Ｇａ（ガリウム），
Ｓｅ（セレン）から成る半導体材料の薄膜であって、「ＣＩＧＳ」はこれら素材の頭文字
を配列したものであり、このＣＩＧＳ薄膜の膜厚は、数１０μｍ〜１００μｍ程度と薄く
することができる。
【手続補正６】
【補正対象書類名】明細書
【補正対象項目名】００１８
【補正方法】変更
【補正の内容】
【００１８】
図１は本発明によるインクジェット塗布装置及び方法の第１の実施形態の概略構成を示
す斜視図である。１は太陽電池フィルム（以下、単にフィルムという）、２は巻出側フィ
ルムロール、３は巻取側フィルムロール、４，５はガイドロール、６，７は昇降ガイドロ
ール、８，９は吸着バー、１０は吸着テーブル、１１は巻出側軸モータ、１２は巻取側軸
モータ、１３，１４はカール矯正バー、１５は塗布ヘッド、１６は巻出部、１７は塗布部、
１８は巻取部である。
【手続補正７】
【補正対象書類名】明細書
【補正対象項目名】００１９
【補正方法】変更
【補正の内容】
【００１９】
同図において、Ｘ軸方向に空間が巻出部１６と塗布部１７と巻取部１９とに区分されて
おり、巻出部１６には、巻出側軸モータ１１によって回転駆動される巻出側フィルムロー
ル２や上流側のガイドロール４，昇降ガイドロール６，吸着バー８をＸ軸方向に順次配列
させて設け、巻取部１８には、下流側の吸着バー９や昇降ガイドロール７，ガイドロール
５，巻取側フィルムロール３をＸ軸方向に順次配列させて設けられている。また、塗布部
１７には、吸着テーブル１０や塗布ヘッド１５，カール矯正バー１３，１４を設けている。
【手続補正８】
【補正対象書類名】明細書
【補正対象項目名】００２０
【補正方法】変更
【補正の内容】
【００２０】
巻出部１６において、巻出側フィルムロール２には、塗布部１７で電極材や絶縁材の塗
布対象となるフィルム１をロール状に巻き付けている。また、このフィルム１は、この巻
出側フィルムロール２から巻き出されて塗布部１７を通り、巻取部１８で巻取側フィルム
ロール３に巻き取られている。かかる状態で、フィルム１の長さ方向がＸ軸方向、その幅
方向がＹ軸方向、Ｘ軸とＹ軸からなる面に垂直な方向がＺ軸方向である。
【手続補正９】
【補正対象書類名】明細書
【補正対象項目名】００２１
【補正方法】変更
【補正の内容】
【００２１】
塗布部１７では、フィルム１が吸着テーブル１０によって真空吸着されて位置固定され
、また、図示しないガントリ（門型フレーム）構造で支持されているインクジェット式の
塗布ヘッドが複数配置されていて、これらにより、液状の電極材や絶縁材など（以下、こ
れらをまとめて「塗布材」という）がフィルム１のＣＩＧＳ薄膜上に塗布されて電極や絶
縁膜が形成される。このＣＩＧＳ薄膜には、溝状の窪み部を設けており、この窪み部に塗
布材が塗布されて電極や絶縁膜が形成される。
【手続補正１０】
【補正対象書類名】明細書
【補正対象項目名】００２２
【補正方法】変更
【補正の内容】
【００２２】
また、塗布ヘッド１５は夫々、ＸＹ軸平面内での移動動作とＺ軸方向（高さ方向）の移動動作が可能であり、夫々の塗布ヘッド１５の下面には、フィルム１に向いたノズル孔が２５０個程度設けられており、ピエゾ駆動によって塗布材の液滴を押し出してフィルム１上に射出する。このように、塗布ヘッド１５のノズルがＸＹ軸平面内で移動して個別に塗布材を射出することにより、フィルム１の塗布面にあらゆるパターンで塗布材を精細に塗布することが可能となる。
【手続補正１１】
【補正対象書類名】明細書
【補正対象項目名】００２３
【補正方法】変更
【補正の内容】
【００２３】
このようにして、塗布部１７でフィルム１の所定の塗布対象エリアでの塗布材の塗布が
終了すると、巻出側フィルムロール２からフィルム１が巻き出され、また、巻取側フィル
ムロール３にこのフィルム１が巻き取られることにより、このフィルム１の次の塗布対象
エリアが塗布部１７で塗布材の塗布ができる位置に配置できるように、フィルム１が巻出
側フィルムロール２側から巻取側フィルムロール３側に搬送されるが、このときには、巻
出部１６において、巻出側軸モータ１１によって回転駆動される巻出側フィルムロール２
から巻き出されたフィルム１は、ガイドローラ４と昇降ガイドローラ６とによって支持さ
れるが、このとき、昇降ガイドローラ６が吸着テーブル１０の吸着面よりも高い位置に上
昇しており、また、巻取部１８では、フィルム１が昇降ガイドローラ７とガイトローラ５
とで支持されて巻取側フィルムロール３で巻き取っている。昇降ガイドローラ７は吸着テ
ーブル１０の吸着面よりも高い位置に上昇している。これにより、フィルム１は、吸着バ
ー８，９や吸着テーブル１０に接触することなく、Ｘ軸方向に移動する。
【手続補正１２】
【補正対象書類名】明細書
【補正対象項目名】００２４
【補正方法】変更
【補正の内容】
【００２４】
このようにして、フィルム１が巻出部１６側から巻取部１８側に移送されるときには、
昇降ガイドローラ６，７によってフィルム１が持ち上げられることになり、フィルム１が
吸着テーブル７に接触することなく搬送されるので、フィルム１の裏面に擦り傷が付くの
を防止できる。
【手続補正１３】
【補正対象書類名】明細書
【補正対象項目名】００２５
【補正方法】変更
【補正の内容】
【００２５】
このようにして、フィルム１が昇降ガイドローラ６，７によって吸着バー８，９や吸着
テーブル１０に接触しない状態で搬送され、フィルム１での次の塗布対象エリアが塗布部
１７に達すると、フィルム１の搬送が終了する。この塗布対象エリアの塗布部１７でのＸ
軸方向の位置決めがなされ（この位置決めは、まず、巻取側フィルムロール３の巻取量を
監視して、粗く位置調整する。次いで、図示しないが、フィルム１の各塗布対象エリア毎
にマークを設け、これを図示しないカメラで撮影し、その撮影領域の所定の位置にこのマ
ークが位置するように、巻出側軸モータ１１と巻取側軸モータ１２を制御してフィルム１
のＸ軸方向の位置を精密に調整をする）、この位置調整が終了すると、巻取側軸モータ１
２にブレーキを掛けてフィルム１の巻取部１８側を固定した状態とする。そして、これと
ともに、巻出側軸モータ１１をフィルム１の巻き出しの回転方向とは逆回転方向にトルク
を掛けた状態にする。
【手続補正１４】
【補正対象書類名】明細書
【補正対象項目名】００２７
【補正方法】変更
【補正の内容】
【００２７】
かかる状態で、塗布部１７では、昇降ガイドロール６，７が上記のように上昇した状態
で、吸着バー８，９がともに上昇し、フィルム１の裏面に当接してこのフィルム１を吸着
保持する。しかる後、昇降ガイドロール６，７が吸着テーブル１０の吸着面よりも下方に
降下し、次いで、吸着バー８，９が、フィルム１を吸着保持したまま降下し、フィルム１
の裏面を吸着テーブル１０の吸着面に当接する。これにより、フィルム１は吸着テーブル
１０に吸着保持し、塗布ヘッド１５により、新たな塗布対象エリアに塗布材の塗布する。
【手続補正１５】
【補正対象書類名】明細書
【補正対象項目名】００２８
【補正方法】変更
【補正の内容】
【００２８】
ところで、フィルム１が吸着テーブル１０に当接したときも、フィルム１は、その長手
方向にテンションが掛った状態で、その吸着テーブル１０の前後の部分が吸着バー８，９
によって保持している。ここで、巻出部１６でのガイドロール４や昇降ガイドロール６の
側面の長手方向や吸着バー８の吸着面は、Ｙ軸方向、即ち、フィルム１の幅方向に平行で
あって、フィルム１の幅全体がこれらガイドロール４や昇降ガイドロール６，吸着バー８
に押し付けられるようにし、巻取部１８側でも、同様に、フィルム１の幅全体が吸着バー
９，昇降ガイドロール７，カイドロール５に押し付けられるようにして、フィルム１の幅
全体が水平、即ち、Ｙ軸に平行になるようにしているが、フィルム１にその長手方向のテ
ンションが掛けられて吸着バー８，９によって保持されているため、間隔が長い吸着バー
８，９間では、テンション方向とカール方向との角度の違いが生じて、フィルム１の左右
両側辺部が、図２に示すように、下方に傾斜したカール部１９が生ずる。
【手続補正１６】
【補正対象書類名】明細書
【補正対象項目名】００３３
【補正方法】変更
【補正の内容】
【００３３】
また、昇降シリンダ２０ａにシリンダ軸２３ａが連結された幅寄せシリンダ２２ａと、
昇降シリンダ２０ｂにシリンダ軸２３ｂが連結された幅寄せシリンダ２２ｂとを設けて
おり、これら幅寄せシリンダ２２ａ，２２ｂにも、図示しないが、そこでの空気圧を加
減調整するための空気圧調整器を設けている。幅寄せシリンダ２２ａ，２２ｂでの空気
圧を加減することにより、シリンダ軸２３ａ，２３ｂが同時に伸縮し、昇降シリンダ
２０ａ，２０ｂがＹ軸方向に進退移動する。
【手続補正１７】
【補正対象書類名】明細書
【補正対象項目名】００３６
【補正方法】変更
【補正の内容】
【００３６】
フィルム１の次の塗布対象エリアが塗布部１７に至ると、吸着テーブル１０の吸着面に
設けられた吸着孔が真空吸着可能な状態に設定され、フィルム１のこの塗布対象エリアへ
の塗布材の塗布のための動作が開始し（ステップＳ１００）、上記のように、フィルム１
が、それにテンションが掛けられたまま、吸着テーブル１０に真空吸着されると（ステッ
プＳ１１０）、カール矯正バー１４を動作させてフィルム１の側辺部のカール１９を矯正
する場合には、昇降シリンダ２０ａ，２０ｂと幅寄せシリンダ２２ａ，２２ｂとを駆動す
ることにより、カール矯正バー１４を、実線矢印Ａで示すように、まず、退避状態からＺ
軸方向に吸着テーブル１０上のフィルム１よりも上方の第１の定位置まで上昇させ、しか
る後、フィルム１の方向に（Ｙ軸に沿って）フィルム１での吸着テーブル１０の側辺部１
０ａ側のカール部１９（図２）を越えた第２の定位置まで水平に移動させ、その第２の定
位置に達すると（ステップＳ１２０）、さらにフィルム１を吸着テーブル１０に押し付け
る第３の定位置まで降下させる（ステップＳ１３０）。そして、フィルム１を吸着テーブ
ル１０に押し付けた状態でカール矯正バー１４を吸着テーブル１０の側辺部１０ａの近く
まで退避位置の方向に戻し、フィルム１での上記のカール部１９全体を外側に広げて吸着
テーブル１０の吸着面に押し付ける第４の定位置まで移動する（ステップＳ１４０）。こ
れにより、フィルム１での吸着テーブル１０の側辺部１０ａ側の部分も全体として平坦と
なってこの吸着テーブル１０に押し付け、真空吸着する。
【手続補正１８】
【補正対象書類名】明細書
【補正対象項目名】００３７
【補正方法】変更
【補正の内容】
【００３７】
このようにして、カールの矯正が終了すると、カール矯正バー１４を、破線矢印Ｂで示
すように、第４の定位置から第５の定位置に上昇させ、この第５の定位置から退避位置側
に水平に移動させ、退避位置の真上の第６の定位置に達すると、そこから退避位置まで降
下させて退避状態にする（ステップＳ１５０）。これにより、この塗布対象エリアでのカ
ール矯正動作を終了する（ステップＳ１６０）。
【手続補正１９】
【補正対象書類名】明細書
【補正対象項目名】００３９
【補正方法】変更
【補正の内容】
【００３９】
図５はカール矯正動作の流れを示す図である。
【手続補正２０】
【補正対象書類名】明細書
【補正対象項目名】００４６
【補正方法】変更
【補正の内容】
【００４６】
このように、フィルム１が吸着テーブル１０に吸着されている状態で、塗布ヘッド１５
により、フィルム１の塗布対象エリアで塗布材の塗布が行なう。塗布動作を終了すると
、昇降ガイドローラ６，７が上昇してフィルム１が吸着テーブル１０から持ち上げる。そ
して、巻出側フィルムロール２と巻取側フィルムロール３とを駆動して、フィルム１の次
の塗布対象エリアが塗布部１７に位置するように、フィルム１の搬送を再開する。
【手続補正２１】
【補正対象書類名】明細書
【補正対象項目名】００４７
【補正方法】変更
【補正の内容】
【００４７】
以上の動作において、図５（ｂ），（ｃ）に示す状態でのカール矯正バー１３，１４が
フィルム１を吸着テーブル１０に押さえ付ける力やフィルム１を広げる力は、カール矯正
バー１３，１４を移動する昇降シリンダ２０ａ，２０ｂの設定圧力を制御することによっ
てコントロールすることができる。また、図５（ｂ）から図５（ｃ）へのフィルムを広げ
るカール矯正バー１３，１４の速度は、幅寄せシリンダ２２ａ，２２ｂの速度制御バルブ
といったエア流量制御手段によって所望の速度に設定することができる。
【手続補正２２】
【補正対象書類名】明細書
【補正対象項目名】００４９
【補正方法】変更
【補正の内容】
【００４９】
図６は本発明によるインクジェット塗布装置及び方法の第２の実施形態における吸着テ
ーブルを示す斜視図である。２４は吸着面、２５は中心領域吸着部、２６ａ，２６ｂは
周辺領域吸着部、２７は吸着孔、２８は中心領域吸着孔、２９は周辺領域吸着孔であり、
図１に対応する部分には同一符号を付けて重複する説明を省略する。
【手続補正２３】
【補正対象書類名】明細書
【補正対象項目名】００５２
【補正方法】変更
【補正の内容】
【００５２】
この第２の実施形態でも、カール矯正バー１３，１４の動作は図５に示す先の第１の実
施形態の動作と同様であるが、制御部は、フィルム１の塗布対象エリアが塗布部１７（図
１）に到達したことを検知すると、吸着テーブル１０の吸着面２４での中心領域吸着部２
５の中心領域吸着孔２８の動作を開始させ、少なくとも図５（ａ）に示す状態で中心領域
吸着孔２８が動作状態となる。これに対し、周辺領域吸着部２６ａ，２６ｂでは、カール
矯正バー１３，１４が図５（ｂ）に示す状態から図５（ｄ）に示す状態となり、フィルム
１のカール部１９が矯正されるとともに、制御部が、このカール矯正動作の終了を検出す
ることにより、周辺領域吸着孔２９の吸着動作を開始させる制御を行なうようにしたもの
である。なお、フィルム１の塗布対象エリアでの塗布材の塗布動作を終了すると、制御部
は、これを検知して中心領域吸着孔２８と周辺領域吸着孔２９の吸着動作を終了させる。
【手続補正２４】
【補正対象書類名】明細書
【補正対象項目名】００５４
【補正方法】変更
【補正の内容】
【００５４】
図１において、フィルム１が巻出側フィルムロール２から巻き出されて搬送されるとき
には、図６に示す構成の吸着テーブル１０では、全ての吸着孔２７は非動作状態にある。
フィルム１の次の塗布対象エリアが塗布部１７に到達すると、図６において、この吸着テ
ーブル１０での中心領域吸着部２５の中心領域吸着孔２８が動作を開始し、かかる状態で
、上記のように、吸着バー８，９が降下することにより、フィルム１（図１）が吸着テー
ブル１０の吸着面２４に当接する。このとき、吸着テーブル１０での中心領域吸着部２５
の中心領域吸着孔２８で吸着動作しているので、フィルム１のこの中心領域吸着部２５に
当接する部分が中心領域吸着孔２８によって真空吸着保持される。これに対し、吸着テー
ブル１０での周辺領域吸着部２６ａ，２６ｂの周辺領域吸着孔２９は動作していないので、
フィルム１のこの周辺領域吸着部２６に対向する部分は吸着保持されていない（図７のス
テップＳ２１０）。
【手続補正２５】
【補正対象書類名】明細書
【補正対象項目名】００５７
【補正方法】変更
【補正の内容】
【００５７】
しかる後、カール矯正バー１３，１４は、先の第１の実施形態と同様、図５（ｃ）に示
す状態から図５（ｄ），（ｅ）に示す状態を経て図５（ｆ）に示す退避位置にある状態と
なり（図７のステップＳ２５０）、フィルム１のカール矯正動作を終了する（図７のステ
ップＳ２６０）。
【手続補正２６】
【補正対象書類名】明細書
【補正対象項目名】００５８
【補正方法】変更
【補正の内容】
【００５８】
このように、フィルム１が吸着テーブル１０に吸着されている状態で、塗布ヘッド１５
（図１）により、フィルム１の塗布対象エリアで塗布材の塗布を行ない、塗布動作を終
了すると、昇降ガイドローラ６，７が上昇してフィルム１が吸着テーブル１０から持ち上
げられ、巻出側フィルムロール２と巻取側フィルムロール３とが駆動されることにより、
フィルム１の次の塗布対象エリアが塗布部１７に位置するように、フィルム１の搬送が再
開される。
【手続補正２７】
【補正対象書類名】明細書
【補正対象項目名】００６０
【補正方法】変更
【補正の内容】
【００６０】
図８は本発明によるインクジェット塗布装置及び方法の第３の実施形態の要部を示す概
略斜視図である。３０はフィルム浮き検知装置のフィルム有無検知センサ、３１はフィ
ルム浮き検知装置の検知孔、３２ａはフィルム浮き検知装置のビーム発光装置、３２ｂは
フィルム浮き検知装置の検知センサ、３３は光ビームであり、図１に対応する部分には同
一符号を付けて重複する説明を省略する。
【手続補正２８】
【補正対象書類名】明細書
【補正対象項目名】００６１
【補正方法】変更
【補正の内容】
【００６１】
この第３の実施形態は、先の第１，第２の実施形態にカール矯正動作が終了したか否か
を検知する装置を備えたものである。以下では、かかる装置をフィルム浮き検知装置とい
う。
【手続補正２９】
【補正対象書類名】明細書
【補正対象項目名】００６３
【補正方法】変更
【補正の内容】
【００６３】
この検知孔３１は、フィルム１が吸着テーブル１０に載置されたとき、このフィルム１
に生じているカール部１９（図２）の位置に設けられているものであって、フィ
ルム有無検知センサ３０は、この検知孔３１を通して光を照射し、吸着テーブル１０に載
置されたフィルム１の裏面からの反射光を検知孔３１を通して受光し、その反射面までの
距離に応じて反射光の受光量を検出するものであるが、図５（ａ）に示すように、フィル
ム１の側辺部にカール部１９があって、フィルム１の側辺部が吸着テーブル１０から浮き
上がっているときと、図５（ｃ）に示すように、カール矯正が行なわれてフィルム１の側
辺部も平坦となって吸着テーブル１０の吸着面に接触しているときとで、フィルム有無検
知センサ３０から照射光が反射するフィルム１の裏面までの距離が異なる。
【手続補正３０】
【補正対象書類名】明細書
【補正対象項目名】００６４
【補正方法】変更
【補正の内容】
【００６４】
このことから、フィルム有無検知センサ３０は、上記のフィルム１のカール矯正の動作
を終了すると、検知孔３１を通して光を照射し、吸着テーブル１０に載置されたフィルム
１の裏面からの反射光を検知孔３１を通して受光し、図示しない処理部がその受光結果に
基いてこのフィルム１の裏面までの距離を測定し、この測定結果を処理してフィルム１の
裏面が吸着テーブル１０から浮き上がっているか、吸着テーブル１０に平坦な状態で当接
しているか判定し、フィルム１の裏面が吸着テーブル１０から浮き上がっているとの判定
結果が得られると、フィルム１のカール矯正がなされなかったものとして、装置の作業者
にこれを通知するとともに、装置を停止させて塗布作業を停止させる。
【手続補正３１】
【補正対象書類名】明細書
【補正対象項目名】００６５
【補正方法】変更
【補正の内容】
【００６５】
この第３の実施形態では、さらに、吸着テープル１０の一方の側辺部の外側にビーム発光装置３２ａを設け、他方の側辺部の外側には検知センサ３２ｂが夫々設けている。そして、ビーム発光装置３２ａからの光ビーム３３が検知センサ３２ｂで受光される。これらビーム発光装置３２ａと検知センサ３２ｂとはフィルム浮き検知装置を構成するものであるが、この場合、ビーム発光装置３２ａと検知センサ３２ｂとの配置位置としては、ビーム発光装置３２ａからの光ビーム３３が吸着テーブル１０の上方でこの吸着テーブル１０を横切るように、かつフィルム１が全体として平坦な状態で吸着テーブル１０に真空吸着されているときには、ビーム発光装置３２ａからの光ビーム３３を検知センサ３２ｂで検知できるようにし、カール部１９（図２）が生じフィルム１が吸着テーブルの吸着面２４（図６）から浮き上がっているときには、ビーム発光装置３２ａからの光ビーム３３がフィルム１に遮られて検知センサ３２ｂで受光できないように、設定する。
【手続補正３２】
【補正対象書類名】明細書
【補正対象項目名】００６６
【補正方法】変更
【補正の内容】
【００６６】
これにより、図示しない処理部では、フィルム１の上記カール矯正動作の終了後、検知
センサ３２ｂで光ビーム３３の受光結果が得られた場合は、フィルム１全体が平坦な状態
で吸着テーブル１０に真空吸着保持されるいるものと判定する。そして、このフィルム１
の塗布材の塗布動作を開始させるが、検知センサ３２ｂで光ビーム３３の受光結果が得ら
れない場合には、フィルム１のカール矯正ができなかったものと判定する。そして、この
装置の作業者にその旨を通知するとともに、装置の動作を停止させて塗布作業を停止させ
る。
【手続補正３３】
【補正対象書類名】明細書
【補正対象項目名】００６７
【補正方法】変更
【補正の内容】
【００６７】
以上のように、この第３の実施形態では、フィルム１のカール矯正を行なった後におい
て、フィルム浮き検知装置によってカール矯正が確実に行なわれたか否かを確認すること
ができるので、カール矯正が充分なされていない状態で塗布材の塗布が行なわれるのを防
止することができる。
【手続補正３４】
【補正対象書類名】明細書
【補正対象項目名】００６８
【補正方法】変更
【補正の内容】
【００６８】
なお、以上の説明では、フィルム有無検知センサ３０と検知孔３１とによるフィルム浮
き検知装置と、ビーム発光装置３２ａと検知センサ３２ｂとからなるフィルム浮き検知装
置とを用いているものとしているが、これらフィルム浮き検知装置のいずれか一方のみを
用いるようにしてもよい。また、同じフィルム浮き検知装置を複数用いるようにしてもよ
い。かかるフィルム浮き検知装置は、フィルム１のカール状態に応じて使い分けるもので
ある。
【手続補正３５】
【補正対象書類名】明細書
【補正対象項目名】００６９
【補正方法】変更
【補正の内容】
【００６９】
これらのいずれにしても、フィルム１のカールが矯正されて平坦な状態となって初めて
次の塗布工程に移行できる手順とすることで、信頼性を格段に向上させることができる。
もし、カール矯正を完了できず、製造工程を一時停止した場合には、エラーであることを
警報機などによって作業者に知らせることになる。この場合、生産時間に無駄が生じるが、
フィルム１が浮き上がったままで塗布動作を始めたり、皺が発生したままの状態で製造物
の歩留まりを低下させるような不具合を未然に防止することが可能となる。
【手続補正３６】
【補正対象書類名】明細書
【補正対象項目名】００７０
【補正方法】変更
【補正の内容】
【００７０】
図９は本発明によるインクジェット塗布装置及び方法の第４の実施形態でのカール矯正
装置の一具体例を示す概略斜視図である。３４，３５は空気圧調整器であり、図３に対応
する部分には同一符号を付けて重複する説明を省略する。
【手続補正３７】
【補正対象書類名】明細書
【補正対象項目名】００７１
【補正方法】変更
【補正の内容】
【００７１】
同図において、昇降シリンダ２０ａ，２０ｂには、空気圧調整器３４を介して空気圧が
供給される。同様にして、吸着テーブル１０の反対側に設けられているカール矯正バー１
３を上下方向に移動させる昇降シリンダ（ここでは、昇降シリンダ２０ａ’のみを示して
いる）にも、空気圧調整器３５を介して空気圧を供給する。
【手続補正３８】
【補正対象書類名】明細書
【補正対象項目名】００７３
【補正方法】変更
【補正の内容】
【００７３】
そこで、制御装置が空気圧調整器３４，３５に供給する制御信号を変化させることによ
り、昇降シリンダ２０ａ，２０ｂや昇降シリンダ２０ａ’への空気圧を変化させることが
できる。そして、昇降シリンダ２０ａ，２０ｂや昇降シリンダ２０ａ’に供給される空気
圧が変化すると、カール矯正バー１４，１３の上下動作の駆動圧力が変化することになり
、カール矯正バー１４，１３がフィルム１を吸着テーブル１０に押し付ける押圧力が変化
することになる。